(57)【要約】【課題】  利用者カードの第三者による不法使用などの未然防止が可能なカード不正使用防止システム、金融端末及び金融機関ホストコンピュータの提供。【解決手段】  カード不正使用防止システムＳは、カードＣと、携帯電話機１と、店舗３に設置された金融端末４と、金融機関５のホストコンピュータ５０とから構成される。ホストコンピュータ５０が金融端末４から送信されたカードＣの携帯電話番号情報，パスワード情報，カード利用者１０との金融取引情報及び店舗３の店舗情報を受信する。携帯電話機１が金融端末４の所在地の最寄りの基地局ＢＳ１に位置情報未登録である時、ホストコンピュータ５０が金融取引不可を金融端末４に通知する。金融端末４がホストコンピュータ５０からの金融取引不可の通知を受信した時、金融端末４は金融取引を行えない旨を表示する。【選択図】        図１
2007004510.tif 000002
【特許請求の範囲】
【請求項１】
利用者カードと、携帯電話会社の最寄りの基地局に位置情報登録を行う登録手段を備え、前記利用者カードを利用するカード利用者が携行する携帯電話機と、前記カード利用者が利用する店舗に設置され、前記利用者カードの読取りを行うカード読取部と前記カード利用者の認証用のパスワード入力を行うパスワード入力部を有する金融端末と、前記金融端末と接続され、前記金融端末の管理を行う金融機関ホストコンピュータとから構成され、前記利用者カードと前記携帯電話機を連携して利用者カードの不正使用を防止するシステムであって、
前記利用者カードは、カード情報と前記携帯電話機の携帯電話情報を記録しており、前記金融端末は、前記カード読取部により前記利用者カードから読取った携帯電話情報，前記パスワード入力部から入力されたパスワード情報，前記カード利用者との金融取引情報及び前記店舗の店舗情報を前記金融機関ホストコンピュータに送信する送信手段と、前記金融機関ホストコンピュータからの金融取引不可の通知を受信する受信手段と、金融取引不可の通知を受信した時、金融取引を行えない旨を表示する表示手段とを備え、前記金融機関ホストコンピュータは、前記金融端末からの前記利用者カードの携帯電話情報，パスワード情報，金融取引情報及び前記店舗の店舗情報を受信する受信手段と、前記携帯電話機が前記金融端末の所在地の最寄りの基地局に位置情報未登録である時、金融取引不可を前記金融端末に通知する通知手段とを備えたことを特徴とするカード不正使用防止システム。
【請求項２】
上記金融機関ホストコンピュータは、上記携帯電話機が上記金融端末の所在地の最寄りの基地局に位置情報登録済みか又は位置情報未登録かを上記携帯電話会社に問い合わせを行う問い合わせ手段と、前記携帯電話会社からの位置情報登録済み又は位置情報未登録の問い合わせ結果を受け取る受取手段とを備えた請求項１に記載のカード不正使用防止システム。
【請求項３】
上記金融機関ホストコンピュータは、上記携帯電話会社から上記金融端末の所在地の最寄りの基地局に位置情報登録した上記携帯電話機の登録携帯電話情報を取得する登録携帯電話情報取得手段と、前記金融端末からの上記利用者カードの携帯電話情報と前記携帯電話会社から取得した登録携帯電話情報とを照合し、前記携帯電話機が前記金融端末の所在地の最寄りの基地局に位置情報登録済みか位置情報未登録かを判断する照合判断手段とを備えた請求項１に記載のカード不正使用防止システム。
【請求項４】
カード利用者が利用する店舗に設置され、前記カード利用者の利用する利用者カードの読取りを行うカード読取部と前記カード利用者の認証用のパスワード入力を行うパスワード入力部を有しており、前記カード読取部により前記利用者カードから読取った携帯電話情報，前記パスワード入力部から入力されたパスワード情報，前記カード利用者との金融取引情報及び前記店舗の店舗情報を金融機関ホストコンピュータに送信する送信手段と、前記金融機関ホストコンピュータからの金融取引不可の通知を受信する受信手段と、金融取引不可の通知を受信した時、金融取引を行えない旨を表示する表示手段とを備えたことを特徴とする金融端末。
【請求項５】
カード利用者が利用する店舗に設置された金融端末と接続され、前記金融端末からの前記カード利用者の利用する利用者カードから読取った携帯電話情報，入力されたパスワード情報，前記カード利用者との金融取引情報及び前記店舗の店舗情報を受信する受信手段と、携帯電話機が前記金融端末の所在地の最寄りの基地局に位置情報未登録である時、金融取引不可を前記金融端末に通知する通知手段とを備えたことを特徴とする金融機関ホストコンピュータ。
【発明の詳細な説明】
【技術分野】
【０００１】
本発明は、利用者カードと携帯電話機を連携させて利用者カードの不正使用を防止するカード不正使用防止システム、金融端末及び金融機関ホストコンピュータに関するものである。
【背景技術】
【０００２】
現状では、キャッシュカード等の利用者カードをＡＴＭ（Ａｕｔｏｍａｔｉｃ  Ｔｅｌｌｅｒ  Ｍａｃｈｉｎｅ；現金自動預け払い機）やＣＤ（Ｃａｓｈ  Ｄｉｓｐｅｎｓｅｒ；現金自動支払い機）などの金融端末である現金自動取引装置にセットし、カード利用者が現金自動取引装置のタッチパネルにパスワードを入力し、カード利用者の本人認証を行う。
利用者カードを第三者（不心得者）に拾われる又は盗まれ、且つパスワードが解読されると、第三者がカード利用者本人になりすまして、利用者カードを第三者に不正に使用されるリスクが大きかった。
【０００３】
また、現金自動取引装置のセキュリティを高めるため、パスワードに追加して生体認証（指紋，指と掌静脈，顔，眼底）を併せて行うが、ワンアクション追加される煩わしさと、生体認証を嫌う方もいる。
【０００４】
従来、カード利用者がキャッシュカードの所有者本人であるかどうかをＧＰＳ（Ｇｌｏｂａｌ  Ｐｏｓｉｔｉｏｎｉｎｇ  Ｓｙｓｔｅｍ；全地球測位システム）を利用して確認することにより、キャッシュカードの不正使用を未然に防止することができるＧＰＳ機能付き携帯電話によるキャッシュカード認証システムが特許文献１に開示されている。
【特許文献１】特開２００３−１５０８８４号公報
【発明の開示】
【発明が解決しようとする課題】
【０００５】
ところが、特許文献１に開示されたものは、カード利用者の位置を特定するため、ＧＰＳ機能付き携帯電話とキャッシュカードをカード利用者に一緒に所持させ、デビットカード端末又はＡＴＭなどのカード処理機の設置場所を特定するため、カード処理機にＧＰＳ受信機を配設し、ＧＰＳサービス会社にてカード利用者（ＧＰＳ機能付き携帯電話）の位置とカード処理機（ＧＰＳ受信機）の設置場所を照合するようにしたものであり、基地局などの携帯電話システムを利用するものではなかった。
【０００６】
そこで、本発明の目的は、上記の事情に鑑みてなされたものであって、カード利用者の携行する携帯電話機の携帯電話情報を利用者カード内にあらかじめ記録しておき、カード利用者が利用者カードを金融端末にセットし、金融端末のパスワード入力部からパスワード入力すると、金融端末が利用者カードから読取った携帯電話情報，入力されたパスワード情報などを金融機関ホストコンピュータに送信するので、金融機関ホストコンピュータがパスワードによりカード利用者の本人認証を行うと同時に、利用者カードの携帯電話情報と携帯電話機の携帯電話情報とによりカード利用者の本人認証を行うことができ、社会生活を送るほとんどの方が携行する携帯電話機を活用し、既設の認証システムに追加して、カード利用者の本人認証を可能とし、金融端末利用時のセキュリティを確実に高めることができ、利用者カードは携帯電話機を持っているカード利用者本人しか使えず、利用者カードと携帯電話機とを連携させて利用者カードの不正使用を未然に防止することができ、カード利用者に追加のワンアクション操作させることなく、簡便且つ確実にカード利用者の本人認証ができ、利用者カードの第三者による不法使用などの未然防止が可能なカード不正使用防止システム、金融端末及び金融機関ホストコンピュータを提供することにある。
【課題を解決するための手段】
【０００７】
本発明のカード不正使用防止システムは、利用者カードと、携帯電話会社の最寄りの基地局に位置情報登録を行う登録手段を備え、前記利用者カードを利用するカード利用者が携行する携帯電話機と、前記カード利用者が利用する店舗に設置され、前記利用者カードの読取りを行うカード読取部と前記カード利用者の認証用のパスワード入力を行うパスワード入力部を有する金融端末と、前記金融端末と接続され、前記金融端末の管理を行う金融機関ホストコンピュータとから構成され、前記利用者カードと前記携帯電話機を連携して利用者カードの不正使用を防止するシステムであって、前記利用者カードが、カード情報と前記携帯電話機の携帯電話情報を記録しており、前記金融端末が、前記カード読取部により前記利用者カードから読取った携帯電話情報，前記パスワード入力部から入力されたパスワード情報，前記カード利用者との金融取引情報及び前記店舗の店舗情報を前記金融機関ホストコンピュータに送信する送信手段と、前記金融機関ホストコンピュータからの金融取引不可の通知を受信する受信手段と、金融取引不可の通知を受信した時、金融取引を行えない旨を表示する表示手段とを備え、前記金融機関ホストコンピュータが、前記金融端末からの前記利用者カードの携帯電話情報，パスワード情報，金融取引情報及び前記店舗の店舗情報を受信する受信手段と、前記携帯電話機が前記金融端末の所在地の最寄りの基地局に位置情報未登録である時、金融取引不可を前記金融端末に通知する通知手段とを備えたことを特徴とする構成を有するものである。
【０００８】
本発明のカード不正使用防止システムは、上記金融機関ホストコンピュータが、上記携帯電話機が上記金融端末の所在地の最寄りの基地局に位置情報登録済みか又は位置情報未登録かを上記携帯電話会社に問い合わせを行う問い合わせ手段と、前記携帯電話会社からの位置情報登録済み又は位置情報未登録の問い合わせ結果を受け取る受取手段とを備えている。
【０００９】
本発明のカード不正使用防止システムは、上記金融機関ホストコンピュータが、上記携帯電話会社から上記金融端末の所在地の最寄りの基地局に位置情報登録した上記携帯電話機の登録携帯電話情報を取得する登録携帯電話情報取得手段と、前記金融端末からの上記利用者カードの携帯電話情報と前記携帯電話会社から取得した登録携帯電話情報とを照合し、前記携帯電話機が前記金融端末の所在地の最寄りの基地局に位置情報登録済みか位置情報未登録かを判断する照合判断手段とを備えている。
【００１０】
本発明の金融端末は、カード利用者が利用する店舗に設置され、前記カード利用者の利用する利用者カードの読取りを行うカード読取部と前記カード利用者の認証用のパスワード入力を行うパスワード入力部を有しており、前記カード読取部により前記利用者カードから読取った携帯電話情報，前記パスワード入力部から入力されたパスワード情報，前記カード利用者との金融取引情報及び前記店舗の店舗情報を金融機関ホストコンピュータに送信する送信手段と、前記金融機関ホストコンピュータからの金融取引不可の通知を受信する受信手段と、金融取引不可の通知を受信した時、金融取引を行えない旨を表示する表示手段とを備えたことを特徴とする構成を有するものである。
【００１１】
本発明の金融機関ホストコンピュータは、カード利用者が利用する店舗に設置された金融端末と接続され、前記金融端末からの前記カード利用者の利用する利用者カードから読取った携帯電話情報，入力されたパスワード情報，前記カード利用者との金融取引情報及び前記店舗の店舗情報を受信する受信手段と、携帯電話機が前記金融端末の所在地の最寄りの基地局に位置情報未登録である時、金融取引不可を前記金融端末に通知する通知手段とを備えたことを特徴とする構成を有するものである。
【発明の効果】
【００１２】
以上に述べたように、本発明によれば、カード利用者の携行する携帯電話機の携帯電話情報を利用者カード内にあらかじめ記録しておき、カード利用者が利用者カードを金融端末にセットし、金融端末のパスワード入力部からパスワード入力すると、金融端末が利用者カードから読取った携帯電話情報，入力されたパスワード情報などを金融機関ホストコンピュータに送信するので、金融機関ホストコンピュータがパスワードによりカード利用者の本人認証を行うと同時に、利用者カードの携帯電話情報と携帯電話機の携帯電話情報とによりカード利用者の本人認証を行うことができ、社会生活を送るほとんどの方が携行する携帯電話機を活用し、既設の認証システムに追加して、カード利用者の本人認証を可能とし、金融端末利用時のセキュリティを確実に高めることができ、利用者カードは携帯電話機を持っているカード利用者本人しか使えず、利用者カードと携帯電話機とを連携させて利用者カードの不正使用を未然に防止することができ、カード利用者に追加のワンアクション操作させることなく、簡便且つ確実にカード利用者の本人認証ができ、利用者カードの第三者による不法使用などの未然防止が可能なカード不正使用防止システム、金融端末及び金融機関ホストコンピュータを得ることができる。
【発明を実施するための最良の形態】
【００１３】
以下、本発明を実施するための最良の形態を図面を参照して詳細に説明する。
【実施例】
【００１４】
図１は、本発明の第１実施例及び第２実施例に係るカード不正使用防止システムを示すシステム構成図である。
【００１５】
本発明のカード不正使用防止システムＳは、キャッシュカード，クレジットカードなどの利用者カードＣと、携帯電話会社２の最寄りの基地局ＢＳに位置情報登録を行う登録手段を備え、利用者カードＣを利用するカード利用者１０が携行する携帯電話機１と、カード利用者１０が利用する店舗３に設置され、利用者カードＣの読取りを行うカード読取部４０とカード利用者１０の認証用のパスワード入力を行うパスワード入力部４１を有するＡＴＭなどの金融端末４と、金融端末４と接続され、金融端末４の管理を行う銀行，クレジット会社などの金融機関５のホストコンピュータ５０とから構成され、利用者カードＣと携帯電話機１を連携して利用者カードＣの不正使用を防止するシステムである。
【００１６】
本発明のカード不正使用防止システムＳは、利用者カードＣが、カード情報と携帯電話機１の携帯電話情報である携帯電話番号情報を記録している。
【００１７】
本発明のカード不正使用防止システムＳは、金融端末４が、カード読取部４０により利用者カードＣから読取った携帯電話番号情報，パスワード入力部４１から入力されたパスワード情報，カード利用者１０との金融取引情報及び店舗３の店舗情報を金融機関５のホストコンピュータ５０に送信する送信手段と、金融機関５のホストコンピュータ５０からの金融取引不可の通知を受信する受信手段と、金融取引不可の通知を受信した時、金融取引を行えない旨を表示する表示手段とを備えている。
【００１８】
本発明のカード不正使用防止システムＳは、金融機関５のホストコンピュータ５０が、金融端末４からの利用者カードＣの携帯電話番号情報，パスワード情報，金融取引情報及び店舗３の店舗情報を受信する受信手段と、携帯電話機１が金融端末４の所在地の最寄りの基地局ＢＳ１に位置情報未登録である時、金融取引不可を金融端末４に通知する通知手段とを備えている。
【００１９】
本発明のカード不正使用防止システムＳは、金融機関５のホストコンピュータ５０が、携帯電話機１が金融端末４の所在地の最寄りの基地局ＢＳ１に位置情報登録済みか又は位置情報未登録かを携帯電話会社２に問い合わせを行う問い合わせ手段と、携帯電話会社２からの位置情報登録済み又は位置情報未登録の問い合わせ結果を受け取る受取手段とを備えている。
【００２０】
本発明の金融端末は、カード利用者１０が利用する店舗３に設置されている。
【００２１】
本発明の金融端末は、カード利用者１０の利用する利用者カードＣの読取りを行うカード読取部４０とカード利用者１０の認証用のパスワード入力を行うパスワード入力部４１とを有している。
【００２２】
本発明の金融端末は、カード読取部４０により利用者カードＣから読取った携帯電話番号情報，パスワード入力部４１から入力されたパスワード情報，カード利用者１０との金融取引情報及び店舗３の店舗情報を金融機関５のホストコンピュータ５０に送信する送信手段と、金融機関５のホストコンピュータ５０からの金融取引不可の通知を受信する受信手段と、金融取引不可の通知を受信した時、金融取引を行えない旨を表示する表示手段とを備えている。
【００２３】
本発明の金融機関ホストコンピュータは、カード利用者１０が利用する店舗３に設置された金融端末４と接続されている。
【００２４】
本発明の金融機関ホストコンピュータは、金融端末４からのカード利用者１０の利用する利用者カードＣから読取った携帯電話番号情報，入力されたパスワード情報，カード利用者１０との金融取引情報及び店舗３の店舗情報を受信する受信手段と、携帯電話機１が金融端末４の所在地の最寄りの基地局ＢＳ１に位置情報未登録である時、金融取引不可を金融端末４に通知する通知手段とを備えている。
【００２５】
本発明の金融機関ホストコンピュータは、携帯電話機１が金融端末４の所在地の最寄りの基地局ＢＳ１に位置情報登録済みか又は位置情報未登録かを携帯電話会社２に問い合わせを行う問い合わせ手段と、携帯電話会社２からの位置情報登録済み又は位置情報未登録の問い合わせ結果を受け取る受取手段とを備えている。
【００２６】
本発明の金融機関ホストコンピュータは、携帯電話会社２から受け取った問い合わせ結果が位置情報未登録である時、通知手段が金融取引不可を金融端末４に通知するようになっている。
【００２７】
カード不正使用防止システムＳは、利用者カードＣと、携帯電話機１と、店舗３に設置された金融端末４と、金融端末４と接続された金融機関５のホストコンピュータ５０とから構成されている。
【００２８】
利用者カードＣ内に、あらかじめカード情報とカード利用者１０が携行する携帯電話機１の携帯電話番号情報を記録しておく。
【００２９】
利用者カードＣを利用するカード利用者１０が携行する携帯電話機１は、最寄りの基地局ＢＳに位置情報登録を行う登録手段を備えている。
【００３０】
カード利用者１０が利用する店舗３内には、図１に示すように、金融端末４が設置されている。
【００３１】
金融端末４は、カード読取部４０とパスワード入力部４１とを有している。
【００３２】
銀行，クレジット会社などの金融会社である金融機関５には、図１に示すように、金融端末４の管理を行うホストコンピュータ５０とカード利用者１０に対してキャッシュカード，クレジットカードなどの利用者カードＣを発行するカード発行装置５１が設置され、ホストコンピュータ５０は金融端末４と接続されている。
【００３３】
基地局ＢＳ１は、金融端末４の所在地の最寄りに設置され、携帯電話機１の位置情報登録を実行する登録実行手段を備えている。
【００３４】
携帯電話会社２には、金融端末４の所在地の最寄りの基地局ＢＳ１と通信可能な携帯基地局ＢＳ２が設置されている。
【００３５】
携帯電話会社２の携帯基地局ＢＳ２は、携帯電話機１からの情報として、携帯電話番号情報と位置情報を金融端末４の所在地の最寄りの基地局ＢＳ１からキャッチする。
【００３６】
携帯電話会社２は、金融機関５のホストコンピュータ５０からの携帯電話機１が金融端末４の所在地の最寄りの基地局ＢＳ１に位置情報登録済みか又は位置情報未登録かの問い合わせを受け付け、携帯電話機１が金融端末４の所在地の最寄りの基地局ＢＳ１に位置情報登録済みか又は位置情報未登録かの問い合わせ結果を金融機関５のホストコンピュータ５０に返信するようになっている。
【００３７】
本発明のカード不正使用防止システムは、以下に示すような特徴を有している。
（１）利用者カードＣを利用するカード利用者１０は、利用者カード発行申請時に、カード情報と携行する携帯電話機１の携帯電話番号情報を金融機関５に申告する。
【００３８】
（２）金融機関５のカード発行装置５１は、利用者カードＣ内にカード利用者１０が申告したカード情報と携帯電話番号情報を登録する。
【００３９】
（３）金融機関５のカード発行装置５１は、カード情報と携帯電話番号情報を登録した利用者カードＣをカード利用者１０に発行する。
【００４０】
（４）カード利用者１０の携行する携帯電話機１は、最寄りの基地局ＢＳに位置情報登録を行う。
【００４１】
（５）カード利用者１０は、利用者カードＣを金融端末４にセットし、金融端末４のパスワード入力部４１からパスワードを入力する。
【００４２】
（６）金融端末４は、カード読取部４０により金融取引希望者であるカード利用者１０の利用者カードＣを読取ると同時に、カード読取部４０により利用者カードＣから読取った携帯電話番号情報，パスワード入力部４１から入力されたパスワード情報，カード利用者１０との金融取引情報及び店舗３の店舗情報を金融機関５のホストコンピュータ５０に送信する。
【００４３】
（７）金融機関５のホストコンピュータ５０は、携帯電話機１が金融端末４の所在地の最寄りの基地局ＢＳ１に位置情報登録済みか又は位置情報未登録かを携帯電話会社２に問い合わせを行う。
【００４４】
（８）金融機関５のホストコンピュータ５０は、携帯電話会社２からの位置情報登録済み又は位置情報未登録の問い合わせ結果を受け取る。
【００４５】
（９）金融機関５のホストコンピュータ５０は、携帯電話機１が金融端末４の所在地の最寄りの基地局ＢＳ１に位置情報登録済みならば、金融取引業務処理へ進み、また、携帯電話機１が金融端末４の所在地の最寄りの基地局ＢＳ１に位置情報未登録ならば、金融取引不可を金融端末４に通知する。
【００４６】
本発明のカード不正使用防止システムは、利用者カードＣと携帯電話機１とを連携させることによる金融端末４での二重セキュリティ機能を有する。
【００４７】
また、利用者カードＣは、携帯電話機１を持っているカード利用者１０本人しか使えず、利用者カードＣと携帯電話機１とを連携させて利用者カードＣの不正使用を未然に防止することができる。
【００４８】
さらに、利用者カードＣを紛失しても、それのみでは使用できず、利用者カードＣをカード利用者１０以外の第三者に不正に使用されるリスクは何ら生じない。
【００４９】
図２は、本発明の第１実施例に係るカード不正使用防止システムにおける金融端末と金融機関ホストコンピュータとの間で実行される処理の動作を説明するフローチャート図である。
ステップＳ１００でスタートした処理は、まず、銀行，クレジット会社などの金融会社である金融機関５への利用者カード発行申請時に、カード利用者１０がカード情報と携行する携帯電話機１の携帯電話番号情報を金融機関５に申告し（ステップＳ１０１）、次いで、カード発行装置５１がカード利用者１０の申告したカード情報と携帯電話番号情報をキャッシュカード，クレジットカードなどの利用者カードＣ内に登録し（ステップＳ１０２）、その後、カード発行装置５１がカード情報と携帯電話番号情報を登録した利用者カードＣをカード利用者１０に発行する（ステップＳ１０３）。
【００５０】
次いで、カード利用者１０が利用しようとする店舗３に近付くと、カード利用者１０の携行する携帯電話機１の登録手段が金融端末４の所在地の最寄りの基地局ＢＳ１に位置情報登録を行う（ステップＳ１０４）。
【００５１】
次いで、携帯電話機１を携行する金融取引希望者であるカード利用者１０が店舗３内に入店し、カード利用者１０が利用者カードＣを金融端末４へセットした後、カード利用者１０が金融端末４のパスワード入力部４１からパスワードを入力すると（ステップＳ１０５）、金融端末４がカード読取部４０でカード利用者１０の利用する利用者カードＣを読取る（ステップＳ１０６）。
【００５２】
次いで、金融端末４がカード読取部４０により利用者カードＣから読取った携帯電話番号情報，パスワード入力部４１から入力されたパスワード情報，カード利用者１０との金融取引情報及び店舗３の店舗情報を金融機関５のホストコンピュータ５０に送信する（ステップＳ１０７）。
【００５３】
次いで、金融機関５のホストコンピュータ５０が金融端末４からの利用者カードＣの携帯電話番号情報，パスワード情報，金融取引情報及び店舗３の店舗情報を受信し（ステップＳ１０８）、その後、金融機関５のホストコンピュータ５０はカード利用者１０の携行する携帯電話機１が金融端末４の所在地の最寄りの基地局ＢＳ１に位置情報登録済みか又は位置情報未登録かを携帯電話会社２に問い合わせを行う（ステップＳ１０９）。
【００５４】
次いで、金融機関５のホストコンピュータ５０が携帯電話会社２からの位置情報登録済み又は位置情報未登録の問い合わせ結果を受け取り（ステップＳ１１０）、次いで、カード利用者１０の携行する携帯電話機１が金融端末４の所在地の最寄りの基地局ＢＳ１に位置情報未登録である時、金融機関５のホストコンピュータ５０が金融取引不可を金融端末４に通知し（ステップＳ１１１）、その後、金融端末４が金融機関５のホストコンピュータ５０からの金融取引不可の通知を受信したかを判断する（ステップＳ１１２）。
【００５５】
ここで、金融端末４が金融機関５のホストコンピュータ５０からの金融取引不可の通知を受信した場合（ステップＳ１１２“ＹＥＳ”）、金融端末４が金融取引を行えない旨の警告を表示し（ステップＳ１１３）、その後、金融端末４は金融機関５との金融取引を中断若しくは停止する（ステップＳ１１４）。
【００５６】
また、金融端末４が金融機関５のホストコンピュータ５０からの金融取引不可の通知を受信していない場合（ステップＳ１１２“ＮＯ”）、金融端末４は金融取引業務処理へ移る（ステップＳ１１５）。
【００５７】
以下、本発明の第２実施例に係るカード不正使用防止システムについて図１を用いて説明する。
【００５８】
本発明のカード不正使用防止システムＳは、金融機関５のホストコンピュータ５０が、携帯電話会社２から金融端末４の所在地の最寄りの基地局ＢＳ１に位置情報登録した携帯電話機１の登録携帯電話情報である登録携帯電話番号情報を取得する登録携帯電話情報取得手段と、金融端末４からの利用者カードＣの携帯電話番号情報と携帯電話会社２から取得した登録携帯電話番号情報とを照合し、携帯電話機１が金融端末４の所在地の最寄りの基地局ＢＳ１に位置情報登録済みか位置情報未登録かを判断する照合判断手段とを備えている。
【００５９】
なお、本発明の第２実施例に係るカード不正使用防止システムの他の構成は、図１に示す第１実施例とほぼ同様のため、説明を省略する。
【００６０】
本発明の金融機関ホストコンピュータは、携帯電話会社２から金融端末４の所在地の最寄りの基地局ＢＳ１に位置情報登録した携帯電話機１の登録携帯電話番号情報を取得する登録携帯電話情報取得手段と、金融端末４からの利用者カードＣの携帯電話番号情報と携帯電話会社２から取得した登録携帯電話番号情報とを照合し、携帯電話機１が金融端末４の所在地の最寄りの基地局ＢＳ１に位置情報登録済みか位置情報未登録かを判断する照合判断手段とを備えている。
【００６１】
本発明の金融機関ホストコンピュータは、照合判断手段による判断結果が位置情報未登録である時、通知手段が金融取引不可を金融端末４に通知するようになっている。
【００６２】
図３は、本発明の第２実施例に係るカード不正使用防止システムにおける金融端末と金融機関ホストコンピュータとの間で実行される処理の動作を説明するフローチャート図である。
ステップＳ２００でスタートした処理は、まず、金融機関５への利用者カード発行申請時に、カード利用者１０がカード情報と携行する携帯電話機１の携帯電話番号情報を金融機関５に申告し（ステップＳ２０１）、次いで、カード発行装置５１がカード利用者１０の申告したカード情報と携帯電話番号情報を利用者カードＣ内に登録し（ステップＳ２０２）、その後、カード発行装置５１がカード情報と携帯電話番号情報を登録した利用者カードＣをカード利用者１０に発行する（ステップＳ２０３）。
【００６３】
次いで、カード利用者１０が利用しようとする店舗３に近付くと、カード利用者１０の携行する携帯電話機１の登録手段が金融端末４の所在地の最寄りの基地局ＢＳ１に位置情報登録を行う（ステップＳ２０４）。
【００６４】
次いで、携帯電話機１を携行する金融取引希望者であるカード利用者１０が店舗３内に入店し、カード利用者１０が利用者カードＣを金融端末４へセットした後、カード利用者１０が金融端末４のパスワード入力部４１からパスワードを入力すると（ステップＳ２０５）、金融端末４がカード読取部４０でカード利用者１０の利用する利用者カードＣを読取る（ステップＳ２０６）。
【００６５】
次いで、金融端末４がカード読取部４０により利用者カードＣから読取った携帯電話番号情報，パスワード入力部４１から入力されたパスワード情報，カード利用者１０との金融取引情報及び店舗３の店舗情報を金融機関５のホストコンピュータ５０に送信する（ステップＳ２０７）。
【００６６】
次いで、金融機関５のホストコンピュータ５０が金融端末４からの利用者カードＣの携帯電話番号情報，パスワード情報，金融取引情報及び店舗３の店舗情報を受信し（ステップＳ２０８）、次いで、金融機関５のホストコンピュータ５０が携帯電話会社２から金融端末４の所在地の最寄りの基地局ＢＳ１に位置情報登録した携帯電話機１の登録携帯電話番号情報を取得する（ステップＳ２０９）。
【００６７】
次いで、金融機関５のホストコンピュータ５０が金融端末４からの利用者カードＣの携帯電話番号情報と携帯電話会社２から取得した登録携帯電話番号情報とを照合し（ステップＳ２１０）、その後、金融機関５のホストコンピュータ５０はカード利用者１０の携行する携帯電話機１が金融端末４の所在地の最寄りの基地局ＢＳ１に位置情報登録済みかを判断する（ステップＳ２１１）。
【００６８】
ここで、カード利用者１０の携行する携帯電話機１が金融端末４の所在地の最寄りの基地局ＢＳ１に位置情報登録済みである場合、（ステップＳ２１１“ＹＥＳ”）、金融機関５のホストコンピュータ５０が金融取引可を金融端末４に通知し（ステップＳ２１２）し、その後、金融端末４が金融機関５のホストコンピュータ５０からの金融取引不可の通知を受信したかを判断する（ステップＳ２１４）。
【００６９】
また、カード利用者１０の携行する携帯電話機１が金融端末４の所在地の最寄りの基地局ＢＳ１に位置情報未登録である場合（ステップＳ２１１“ＮＯ”）、金融機関５のホストコンピュータ５０が金融取引不可を金融端末４に通知し（ステップＳ２１３）、その後、金融端末４が金融機関５のホストコンピュータ５０からの金融取引不可の通知を受信したかを判断する（ステップＳ２１４）。
【００７０】
ここで、金融端末４が金融機関５のホストコンピュータ５０からの金融取引不可の通知を受信した場合（ステップＳ２１４“ＹＥＳ”）、金融端末４が金融取引を行えない旨の警告を表示し（ステップＳ２１５）、その後、金融端末４は金融機関５との金融取引を中断若しくは停止する（ステップＳ２１６）。
【００７１】
また、金融端末４が金融機関５のホストコンピュータ５０からの金融取引不可の通知を受信していない場合（ステップＳ２１４“ＮＯ”）、金融端末４は金融取引業務処理へ移る（ステップＳ２１７）。
【図面の簡単な説明】
【００７２】
【図１】本発明の第１実施例及び第２実施例に係るカード不正使用防止システムを示すシステム構成図。
【図２】本発明の第１実施例に係るカード不正使用防止システムにおける金融端末と金融機関ホストコンピュータとの間で実行される処理の動作を説明するフローチャート図。
【図３】本発明の第２実施例に係るカード不正使用防止システムにおける金融端末と金融機関ホストコンピュータとの間で実行される処理の動作を説明するフローチャート図。
【符号の説明】
【００７３】
１  携帯電話機
２  携帯電話会社
３  店舗
４  金融端末
５  金融機関
１０  カード利用者
４０  カード読取部
４１  パスワード入力部
５０  ホストコンピュータ
５１  カード発行装置
ＢＳ，ＢＳ１  基地局
ＢＳ２  携帯基地局
Ｃ  利用者カード
Ｓ  カード不正使用防止システム
【図１】
2007004510.tif 000003
【図２】
2007004510.tif 000004
【図３】
2007004510.tif 000005